(57)【要約】      （修正有）【課題】アプリケーションを呼び出すための複数のアイコンを表示しつつ、外景の視認性を向上させる。【解決手段】使用者に表示画面２６を虚像として視認させる透過型の頭部装着型表示装置であって、各アプリケーションを呼び出すための複数のアイコン８１を表示画面２６上に表示させる表示制御部と、複数のアイコン８１を表示する表示部と、を備え、表示制御部は、表示画面２６における視界確保領域８４を避けた退避領域８５に、複数のアイコン８１を表示させる。【選択図】図４
2015032085.tif 000002
【特許請求の範囲】
【請求項１】
使用者に表示画面を虚像として視認させる透過型の表示装置であって、
各アプリケーションを呼び出すための複数の画像オブジェクトを前記表示画面上に表示
させる表示制御部と、
前記複数の画像オブジェクトを表示する表示部と、を備え、
前記表示制御部は、前記表示画面における視界確保領域を避けた退避領域に、前記複数
の画像オブジェクトを表示させることを特徴とする表示装置。
【請求項２】
前記視界確保領域は、前記表示画面中央の領域であることを特徴とする請求項１に記載
の表示装置。
【請求項３】
前記表示制御部は、透視図法を用いて前記視界確保領域に対する内向きまたは外向きの
遠近画像に変換された前記複数の画像オブジェクトを、前記表示画面上に表示させること
を特徴とする請求項１または２に記載の表示装置。
【請求項４】
モードを、第１モードと第２モードとの間で設定するモード設定部を、さらに備え、
前記表示制御部は、
前記第１モードに設定されている場合、前記複数の画像オブジェクトを、前記退避領域
に表示させ、
前記第２モードに設定されている場合、前記複数の画像オブジェクトの少なくとも一部
を、前記視界確保領域に表示させることを特徴とする請求項１ないし３のいずれか１項に
記載の表示装置。
【請求項５】
前記複数の画像オブジェクトは、アイコン、メニューおよび縮小化したアプリケーショ
ン画面のいずれかであることを特徴とする請求項１ないし４のいずれか１項に記載の表示
装置。
【請求項６】
前記退避領域は、前記視界確保領域を上下に避けた上下退避領域と、前記視界確保領域
を左右に避けた左右退避領域とのいずれか一方であることを特徴とする請求項１ないし５
のいずれか１項に記載の表示装置。
【請求項７】
前記表示制御部は、前記表示画面の背景を透過して表示させることを特徴とする請求項
１ないし６のいずれか１項に記載の表示装置。
【請求項８】
使用者の視界内における所定の実物体の位置を検出する物体検出部を、さらに備え、
前記表示制御部は、前記物体検出部の検出結果に基づき、前記所定の実物体が前記視界
確保領域内に位置している場合には、前記退避領域に、前記複数の画像オブジェクトを表
示させ、前記所定の実物体が前記退避領域に位置している場合には、前記視界確保領域に
、前記複数の画像オブジェクトを表示させることを特徴とする請求項１ないし７のいずれ
か１項に記載の表示装置。
【請求項９】
前記表示部は、
画像光を出力する画像光出力部と、
出力された前記画像光を前記使用者の眼に導く導光部と、を有し、
前記導光部は、外光を透過し、当該外光を前記画像光と共に前記使用者の眼に入射させ
ることを特徴とする請求項１ないし８のいずれか１項に記載の表示装置。
【請求項１０】
使用者に表示画面を虚像として視認させる透過型の表示装置であって、
各アプリケーションを呼び出すための複数の画像オブジェクトを前記表示画面上に表示
させる表示制御部と、
前記複数の画像オブジェクトを表示する表示部と、を備え、
前記表示制御部は、前記複数の画像オブジェクトを、前記表示画面における視界確保領
域と、前記視界確保領域を避けた退避領域とに亘って表示させると共に、前記視界確保領
域上の画像オブジェクトを、前記退避領域上の画像オブジェクトより高い透過率で透過し
て表示させることを特徴とする表示装置。
【請求項１１】
使用者の頭部に装着されると共に、前記使用者に表示画面を虚像として視認させる透過
型の頭部装着型表示装置であって、
各アプリケーションを呼び出すための複数の画像オブジェクトを前記表示画面上に表示
させる表示制御部と、
前記複数の画像オブジェクトを表示する表示部と、を備え、
前記表示制御部は、前記表示画面における視界確保領域を避けた退避領域に、前記複数
の画像オブジェクトを表示させることを特徴とする頭部装着型表示装置。
【請求項１２】
使用者に表示画面を虚像として視認させる透過型の表示システムであって、
各アプリケーションを呼び出すための複数の画像オブジェクトを前記表示画面上に表示
させる表示制御部と、
前記複数の画像オブジェクトを表示する表示部と、を備え、
前記表示制御部は、前記表示画面における視界確保領域を避けた退避領域に、前記複数
の画像オブジェクトを表示させることを特徴とする表示システム。
【請求項１３】
使用者に表示画面を虚像として視認させる透過型の表示装置の制御方法であって、
各アプリケーションを呼び出すための複数の画像オブジェクトを前記表示画面上に表示
させる表示制御ステップと、
前記複数の画像オブジェクトを表示する表示ステップと、を実行し、
前記表示制御ステップでは、前記表示画面における視界確保領域を避けた退避領域に、
前記複数の画像オブジェクトを表示させることを特徴とする表示装置の制御方法。
【発明の詳細な説明】
【技術分野】
【０００１】
本発明は、使用者に表示画面を虚像として視認させる透過型の表示装置、頭部装着型表
示装置、表示システムおよび表示装置の制御方法に関するものである。
【背景技術】
【０００２】
従来、この種の表示装置として、使用者の頭部に装着される光学透過型の頭部装着型表
示装置が知られている（特許文献１参照）。この表示装置では、使用者が、画像を虚像と
して視認すると同時に、外景（現実風景）も直接視認可能に構成されている。
【先行技術文献】
【特許文献】
【０００３】
【特許文献１】特開２０１２−１６３６３７号公報
【発明の概要】
【発明が解決しようとする課題】
【０００４】
しかしながら、上記従来の表示装置では、アプリケーションを呼び出すための複数のア
イコンによって、視界が遮られてしまい、外景の視認性が著しく悪いという問題があった
。特に、視界の中央に複数のアイコンが表示されてしまうことで、外景が視認しづらくな
る。
【０００５】
本発明は、外景の視認性を向上させることができる表示装置、頭部装着型表示装置、表
示システムおよび表示装置の制御方法を提供することを課題としている。
【課題を解決するための手段】
【０００６】
本発明の表示装置は、使用者に表示画面を虚像として視認させる透過型の表示装置であ
って、各アプリケーションを呼び出すための複数の画像オブジェクトを表示画面上に表示
させる表示制御部と、複数の画像オブジェクトを表示する表示部と、を備え、表示制御部
は、表示画面における視界確保領域を避けた退避領域に、複数の画像オブジェクトを表示
させることを特徴とする。
【０００７】
本発明の頭部装着型表示装置は、使用者の頭部に装着されると共に、使用者に表示画面
を虚像として視認させる透過型の頭部装着型表示装置であって、各アプリケーションを呼
び出すための複数の画像オブジェクトを表示画面上に表示させる表示制御部と、複数の画
像オブジェクトを表示する表示部と、を備え、表示制御部は、表示画面における視界確保
領域を避けた退避領域に、複数の画像オブジェクトを表示させることを特徴とする。
【０００８】
本発明の表示システムは、使用者に表示画面を虚像として視認させる透過型の表示シス
テムであって、各アプリケーションを呼び出すための複数の画像オブジェクトを表示画面
上に表示させる表示制御部と、複数の画像オブジェクトを表示する表示部と、を備え、表
示制御部は、表示画面における視界確保領域を避けた退避領域に、複数の画像オブジェク
トを表示させることを特徴とする。
【０００９】
本発明の表示装置の制御方法は、使用者に表示画面を虚像として視認させる透過型の表
示装置の制御方法であって、各アプリケーションを呼び出すための複数の画像オブジェク
トを表示画面上に表示させる表示制御ステップと、複数の画像オブジェクトを表示する表
示ステップと、を実行し、表示制御ステップでは、表示画面における視界確保領域を避け
た退避領域に、複数の画像オブジェクトを表示させることを特徴とする。
【００１０】
これらの構成によれば、視界を確保したい領域（視界確保領域）を定め、この視界確保
領域を避けた表示画面の退避領域のみに、複数の画像オブジェクトを表示させることによ
り、複数の画像オブジェクトによって視界が妨げられるのを、極力抑えることができる。
すなわち、外景が見える領域を確保することができるので、外景の視認性を向上させるこ
とができる。
【００１１】
上記の表示装置において、視界確保領域は、表示画面中央の領域であることが好ましい
。
【００１２】
この構成によれば、表示画面中央の視界を確保することができるので、外景の視認性を
より向上させることができる。なお、ここにいう「中央」とは、表示画面の上下方向にお
ける中央であっても良いし、表示画面の左右方向における中央であっても良い。また、上
下方向および左右方向の両方における中央であっても良い。
【００１３】
この場合、表示制御部は、透視図法を用いて視界確保領域に対する内向きまたは外向き
の遠近画像に変換された複数の画像オブジェクトを、表示画面上に表示させることが好ま
しい。
【００１４】
この構成によれば、各画像オブジェクトにパースをつけることで、パースをつけていな
い画像オブジェクトに比べ、画像オブジェクトを小さくすることができる。よって、複数
の画像オブジェクトの配置領域を狭くすることができ、外景が見える領域をより広く確保
することができる。また、単に画像オブジェクトを縮小したものに比べ、画像オブジェク
トを自然に判別することができる。
【００１５】
一方、モードを、第１モードと第２モードとの間で設定するモード設定部を、さらに備
え、表示制御部は、第１モードに設定されている場合、複数の画像オブジェクトを、退避
領域に表示させ、第２モードに設定されている場合、複数の画像オブジェクトの少なくと
も一部を、視界確保領域に表示させることが好ましい。
【００１６】
この構成によれば、複数の画像オブジェクトを退避領域のみに表示させて、外景の視認
性を優先するモード（第１モード）と、複数の画像オブジェクトの少なくとも一部を視界
確保領域に表示させて、画像オブジェクトの操作性を優先するモード（第２モード）とを
適宜切替え可能とすることで、表示装置の利便性を向上させることができる。
【００１７】
また、複数の画像オブジェクトは、アイコン、メニューおよび縮小化したアプリケーシ
ョン画面のいずれかであることが好ましい。
【００１８】
この構成によれば、アイコン、メニューおよび縮小化したアプリケーション画面を、視
界を遮ることなく表示させることができる。
【００１９】
さらに、退避領域は、視界確保領域を上下に避けた上下退避領域と、視界確保領域を左
右に避けた左右退避領域とのいずれか一方であることが好ましい。
【００２０】
この構成によれば、上下退避領域と左右退避領域との両方に、複数の画像オブジェクト
を表示させる構成に比べ、高い視認性を得ることができる。
【００２１】
またさらに、表示制御部は、表示画面の背景を透過して表示させることが好ましい。
【００２２】
この構成によれば、表示画面の背景を透過させることで、外景の視認性をより向上させ
ることができる。なお、背景を全透過させる構成であっても良いし、背景を半透過させる
構成であっても良い。
【００２３】
一方、使用者の視界内における所定の実物体の位置を検出する物体検出部を、さらに備
え、表示制御部は、物体検出部の検出結果に基づき、所定の実物体が視界確保領域内に位
置している場合には、退避領域に、複数の画像オブジェクトを表示させ、所定の実物体が
退避領域に位置している場合には、視界確保領域に、複数の画像オブジェクトを表示させ
ることが好ましい。
【００２４】
この構成によれば、現実空間に存在する所定の実物体（例えば障害物）の位置の視界を
確保することができるので、使用者が実物体を注視することができる。
【００２５】
また、表示部は、画像光を出力する画像光出力部と、出力された画像光を使用者の眼に
導く導光部と、を有し、導光部は、外光を透過し、当該外光を画像光と共に使用者の眼に
入射させることが好ましい。
【００２６】
この構成によれば、いわゆる虚像投写型の表示装置を用いることで、簡単な構成で且つ
安価な透過型の表示装置を提供することができる。
【００２７】
本発明の他の表示装置は、使用者に表示画面を虚像として視認させる透過型の表示装置
であって、各アプリケーションを呼び出すための複数の画像オブジェクトを表示画面上に
表示させる表示制御部と、複数の画像オブジェクトを表示する表示部と、を備え、表示制
御部は、複数の画像オブジェクトを、表示画面における視界確保領域と、視界確保領域を
避けた退避領域とに亘って表示させると共に、視界確保領域上の画像オブジェクトを、退
避領域上の画像オブジェクトより高い透過率で透過して表示させることを特徴とする。
【００２８】
この構成によれば、視界を確保したい領域（視界確保領域）を定め、この視界確保領域
では、画像オブジェクトを高い透過率で透過させることにより、複数の画像オブジェクト
によって視界が妨げられるのを、極力抑えることができる。すなわち、外景が見える領域
を確保することができるので、外景の視認性を向上させることができる。
【図面の簡単な説明】
【００２９】
【図１】実施形態に係る頭部装着型表示装置の外観構成を示す説明図である。
【図２】使用者が視認可能な虚像および外景の一例について説明する図である。
【図３】頭部装着型表示装置の制御構成について説明するブロック図である。
【図４】表示画面について説明する図である。
【図５】変形例における表示画面について説明する画面遷移図である。
【発明を実施するための形態】
【００３０】
以下、添付の図面を参照し、本発明の一実施形態に係る表示装置、頭部装着型表示装置
、表示システムおよび表示装置の制御方法について説明する。本実施形態では、本発明の
表示装置を適用した頭部装着型表示装置を例示する。この頭部装着型表示装置は、使用者
の頭部に装着される表示装置であり、ヘッドマウンドディスプレイ（Head  Mounted  Dis
play：ＨＭＤ）とも呼ばれる。本実施形態の頭部装着型表示装置は、使用者に画像を虚像
として視認させると同時に外景（現実風景）も直接視認可能な光学透過型の頭部装着型表
示装置（透過型頭部装着型表示装置、シースルータイプ・ヘッドマウントディスプレイ）
であり、眼鏡型（ゴーグル型）の形状を有している。
【００３１】
図１に示すように、頭部装着型表示装置１は、右保持部１１と、右表示駆動部１２と、
左保持部１３と、左表示駆動部１４と、右光学像表示部１５と、左光学像表示部１６と、
右耳用の右イヤホン１８および左耳用の左イヤホン１９と、を有している。
【００３２】
右光学像表示部１５および左光学像表示部１６は、頭部装着型表示装置１の装着時にお
ける使用者の右および左の眼前に対応する位置に配置されている。右光学像表示部１５の
一端と、左光学像表示部１６の一端とは、それぞれ、頭部装着型表示装置１の装着時にお
ける使用者の眉間に対応する位置で接続されている。右光学像表示部１５の他端である端
部ＥＲからは、右保持部１１が延伸している。同様に、左光学像表示部１６の他端である
端部ＥＬからは、左保持部１３が延伸している。
【００３３】
右保持部１１は、右光学像表示部１５の端部ＥＲから頭部装着型表示装置１の装着時に
おける使用者の側頭部に対応する位置にかけて、右光学像表示部１５とほぼ直角を成すよ
うに延伸して設けられた部材である。同様に、左保持部１３は、左光学像表示部１６の端
部ＥＬから頭部装着型表示装置１の装着時における使用者の側頭部に対応する位置にかけ
て、左光学像表示部１６とほぼ直角を成すように延伸して設けられた部材である。右保持
部１１および左保持部１３は、眼鏡のテンプル（つる、耳掛け）のようにして、使用者の
頭部に頭部装着型表示装置１を保持する。
【００３４】
右表示駆動部１２は、右保持部１１の内側、換言すれば、頭部装着型表示装置１の装着
時における使用者の頭部に対向する側であって、右光学像表示部１５の端部ＥＲ側に配置
されている。また、左表示駆動部１４は、左保持部１３の内側であって、左光学像表示部
１６の端部ＥＬ側に配置されている。
【００３５】
右イヤホン１８および左イヤホン１９は、使用者が頭部装着型表示装置１を装着した際
に、それぞれ右および左の耳に装着され、右および左の耳への各種音声出力を行う。
【００３６】
次に図２を参照して、頭部装着型表示装置１を装着した使用者が視認可能な虚像２２お
よび外景２３の一例について説明する。図２に示すように、頭部装着型表示装置１を装着
した使用者の視界２１には、頭部装着型表示装置１が生成する表示画面２６が虚像２２と
して表示される。ここでは、各アプリケーションを呼び出すための複数のアイコン８１を
配置した表示画面２６が表示されており、当該表示画面２６が、虚像２２が表示される（
虚像２２を表示可能な）虚像表示領域２７全域に表示される。詳細は後述するが、本頭部
装着型表示装置１では、当該表示画面２６により、外景２３の視認性を向上し且つ表示画
面２６中央に視線を誘導するＧＵＩ（Graphical  User  Interface）を実現している。ま
た、使用者の視界２１では、使用者は、右光学像表示部１５および左光学像表示部１６を
透過して、外景２３を見ることができる。すなわち、使用者が、視界２１内において、虚
像２２と外景２３とを同時に視認できるように構成されている。
【００３７】
次に図３を参照して、頭部装着型表示装置１の制御構成について説明する。図３に示す
ように、頭部装着型表示装置１は、使用者に虚像２２を視認させる表示部３０と、右イヤ
ホン１８と、左イヤホン１９と、電源部３２と、インターフェース３３と、これら各部を
制御する制御部３４とを有している。
【００３８】
電源部３２は、頭部装着型表示装置１の各部に電力を供給する。インターフェース３３
は、画像（静止画像、動画像）や音声等のコンテンツの供給元となる種々の外部機器ＯＡ
を接続するためのものである。外部機器ＯＡとしては、例えば、パーソナルコンピュータ
（ＰＣ）や携帯端末（携帯電話やスマートフォン等）、ゲーム端末等がある。インターフ
ェース３３としては、例えばＵＳＢインターフェース、マイクロＵＳＢインターフェース
、メモリーカード用インターフェース、無線ＬＡＮインターフェース等を採用することが
できる。
【００３９】
表示部３０は、右表示駆動部（画像光出力部）１２と、左表示駆動部（画像光出力部）
１４と、右光学像表示部１５としての右導光板（導光部）４６と、左光学像表示部１６と
しての左導光板（導光部）４７と、を有している。
【００４０】
右表示駆動部１２は、光源として機能する右バックライト（ＢＬ）制御部５１および右
バックライト（ＢＬ）５２と、表示素子として機能する右ＬＣＤ（Liquid  Crystal  Dis
play）制御部５３および右ＬＣＤ５４と、右投写光学系５５とを含んでいる。
【００４１】
右バックライト制御部５１は、入力された制御信号に基づいて、右バックライト５２を
駆動制御する。右バックライト５２は、例えば、ＬＥＤ（Light  Emitting  Diode）やエ
レクトロルミネセンス（ＥＬ）等の発光体である。右ＬＣＤ制御部５３は、入力された表
示データに基づいて、右ＬＣＤ５４を駆動制御する。右ＬＣＤ５４は、複数の画素をマト
リクス状に配置した透過型液晶パネルである。
【００４２】
右投写光学系５５は、右ＬＣＤ５４から射出された画像光を投写（出力）するものであ
り、例えば、コリメートレンズを用いて構成される。右光学像表示部１５としての右導光
板４６は、光透過性の樹脂素材等によって形成され、ハーフミラー層ＨＭを有している。
ハーフミラー層ＨＭにより、右投写光学系５５から出力された画像光を、所定の光路に沿
って反射させつつ使用者の右眼に導く。また、右導光板４６は、外光（外景２３の光）を
透過し、当該外交を上記画像光と共に使用者の眼に入射させる。なお、このハーフミラー
層ＨＭが上記の虚像表示領域２７を形成している。そのため、使用者の視線が虚像表示領
域２７内にあれば、ハーフミラー層ＨＭを見ることになり、ハーフミラー層ＨＭを通して
外景２３を見ることになる。一方、使用者の視線が虚像表示領域２７外に移動すると、右
導光板４６におけるハーフミラー層ＨＭ以外の部分を見ることになり、当該部分を通して
外景２３を見ることになってしまう。
【００４３】
左表示駆動部１４は、右表示駆動部１２と同様に、左バックライト（ＢＬ）制御部６１
と、左バックライト（ＢＬ）６２と、左ＬＣＤ制御部６３と、左ＬＣＤ６４と、左投写光
学系６５とを含んでいる。左表示駆動部１４に含まれる各要素の構成や機能は、右表示駆
動部１２に含まれる各要素と同様であるため、ここでは説明を省略する。また、左光学像
表示部１６としての左導光板４７は、光透過性の樹脂素材等によって形成され、ハーフミ
ラー層ＨＭを有している。ハーフミラー層ＨＭにより、左投写光学系６５から出力された
画像光を、所定の光路に沿って反射させつつ使用者の左眼に導く。また、左導光板４７は
、外光を透過し、当該外光を上記画像光と共に使用者の眼に入射させる。なお、左導光板
４７は、右導光板４６と同様、ハーフミラー層ＨＭが上記の虚像表示領域２７を形成して
いる。
【００４４】
このようにして、頭部装着型表示装置１の使用者の両眼に導かれた画像光が網膜に結像
することにより、使用者は、例えば図２に示すように虚像表示領域２７内に虚像２２（表
示画面２６）を視認する。なお、ここでは、画像光を網膜に結像することを、「表示」も
しくは「表示する」と呼称している。
【００４５】
制御部３４は、ＣＰＵ（Central  Processing  Unit）６７と、記憶部６８とを有して
いる。記憶部６８は、ＲＯＭ（Read  Only  Memory）やＲＡＭ（Random  Access  Memory
）等により構成されており、種々のコンピュータープログラムが格納されている。ＣＰＵ
６７は、記憶部６８からコンピュータープログラムを読み出して実行することにより、オ
ペレーティングシステム（ＯＳ）７１、表示制御部７４、表示状態制御部７５、音声処理
部７６およびアプリケーション実行部７７として機能する。
【００４６】
表示制御部７４は、表示データを生成し、表示データを表示部３０（右ＬＣＤ制御部５
３および左ＬＣＤ制御部６３）に送信する。表示制御部７４は、上記した複数のアイコン
８１を配置した表示画面２６の表示データを生成し、この表示データを表示部３０に送信
する。これにより、表示画面２６を表示部３０に表示させ、複数のアイコン８１を表示画
面２６上に表示させる。すなわち、本頭部装着型表示装置１では、表示制御部７４により
、表示画面２６の表示データを生成して表示部３０に送信し（表示制御ステップ）、表示
部３０により、送信された表示データに基づいて、複数のアイコン８１を含む表示画面２
６を表示（画像光を網膜に結像）する（表示ステップ）。
【００４７】
表示状態制御部７５は、右表示駆動部１２および左表示駆動部１４を制御する制御信号
を生成し、表示部３０に送信することにより、表示部３０における画像表示状態を制御す
る。具体的には、表示状態制御部７５は、制御信号により、右ＬＣＤ制御部５３による右
ＬＣＤ５４の駆動のＯＮ／ＯＦＦや、右バックライト制御部５１による右バックライト５
２の駆動ＯＮ／ＯＦＦ、左ＬＣＤ制御部６３による左ＬＣＤ６４の駆動ＯＮ／ＯＦＦや、
左バックライト制御部６１による左バックライト６２の駆動のＯＮ／ＯＦＦ等を個別に制
御することにより、右表示駆動部１２および左表示駆動部１４のそれぞれによる画像光の
生成および射出を制御する。
【００４８】
音声処理部７６は、音声信号を右イヤホン１８および左イヤホン１９に送信して、右イ
ヤホン１８および左イヤホン１９に音声出力を行わせる。
【００４９】
アプリケーション実行部７７は、表示画面２６を用いたユーザー操作に従って各アプリ
ケーションを実行する。具体的には、図外のコントローラーによって、表示画面２６のア
イコン８１を選択（クリック）可能に構成されており、アプリケーション実行部７７は、
アイコン８１の選択を受け付けて、アイコン８１に対応するアプリケーションを実行（起
動）する。
【００５０】
次に図４を参照して頭部装着型表示装置１の表示画面２６について説明する。表示画面
２６は、例えば頭部装着型表示装置１のホーム画面である。図４に示すように、表示画面
２６は、表示画面２６の左右に配置された複数のアイコン（画像オブジェクト）８１と、
中央を除く表示画面２６全域に形成された遠近ガイド８２と、表示画面２６の中央に配置
された２重円環状のターゲット８３と、を有している。また、表示画面２６の中央には、
外景２３を見るための視界確保領域８４が予め設定されている。また、表示画面２６の背
景は、全透過とする。
【００５１】
複数のアイコン８１は、視界確保領域８４を左右に避けた退避領域（左右退避領域）８
５のみに配置されている。複数のアイコン８１は、左右の退避領域８５に２分され、両退
避領域８５にそれぞれ配置されている。また、各アイコン８１として、矩形のアイコン画
像を、透視図法（遠近法）を用いて遠近画像に変換させたものを配置する。具体的には、
矩形のアイコン画像を、表示画面２６の中央を消失点とし且つ視界確保領域８４に対する
内向き（視界確保領域８４側向き）の遠近画像に変換させたものを配置する。すなわち、
矩形のアイコン画像にパースをつけたものを配置している。これにより、複数のアイコン
８１の矩形のアイコン画像が、使用者から見て、透視図法上、左右の壁に張り付いている
かのように表示される。
【００５２】
遠近ガイド８２は、消失線に相当する複数の第１ガイド線９１と、水平線に相当する複
数の第２ガイド線９２と、鉛直線に相当する複数の第３ガイド線９３とを有している。複
数の第１ガイド線９１は、表示画面２６の外縁側から中央側に延びている。具体的には、
複数の第１ガイド線９１は、視界確保領域８４を避け、表示画面２６の外縁から視界確保
領域８４の手前まで延びている。
【００５３】
複数の第２ガイド線９２は、左右方向に延びると共に、視界確保領域８４を避け、表示
画面２６の上下端部に配置されている。一方、複数の第３ガイド線９３は、上下方向に延
びると共に、視界確保領域８４を避け、表示画面２６の左右端部に配置されている。よっ
て、表示画面２６の上下端部では、第１ガイド線９１および第２ガイド線９２が、透視図
法上、天壁および底壁の形態を成している。一方、表示画面２６の左右端部では、第１ガ
イド線９１および第３ガイド線９３が、透視図法上、左側壁および右側壁の形態を成して
いる。すなわち、第１ガイド線９１、第２ガイド線９２および第３ガイド線９３が、透視
図法上、前後壁がない部屋状（箱状）の形態を成している。
【００５４】
ターゲット８３は、表示画面２６の中央を囲う２つのリング状画像９４により構成され
ている。２つのリング状画像９４は、径が異なると共に、表示画面２６中央を中心点とす
る同心円状に形成されている。
【００５５】
以上のような複数のアイコン８１、遠近ガイド８２およびターゲット８３は、使用者の
視線が表示画面２６の外に移動するのを抑え、視線を表示画面２６中央（中央側）に誘導
する誘導画像として機能する。一方、複数のアイコン８１および遠近ガイド８２を、視界
確保領域８４を避けて配置することで、外景の視界２１を確保することができる。すなわ
ち、表示画面２６によるＧＵＩは、視界確保機能と視線誘導機能とを兼ね備えている。
【００５６】
以上、本実施形態の構成によれば、視界確保領域８４を避けた表示画面２６の退避領域
８５に、複数のアイコン８１を表示させることにより、複数のアイコン８１によって視界
２１が妨げられるのを、極力抑えることができる。すなわち、外景２３が見える領域を確
保することができるので、外景の視認性を向上させることができる。
【００５７】
また、表示画面２６中央の領域を、視界確保領域８４とすることで、表示画面２６中央
の視界２１を確保することができるので、外景の視認性を向上させることができる。
【００５８】
さらに、各アイコン８１にパースをつけることで、パースをつけていないアイコン８１
に比べ、アイコン８１を小さくすることができる。よって、複数のアイコン８１の配置領
域を狭くすることができ、外景２３が見える領域をより広く確保することができる。また
、単にアイコン８１を縮小したものに比べ、アイコン８１を自然に判別することができる
。
【００５９】
またさらに、表示画面２６の背景を透過させることで、外景２３の視認性をより向上さ
せることができる。
【００６０】
なお、本実施形態において、利用頻度が多いアイコン８１を、透視図法上の手前側の列
（図４における外側の列）に優先して配置する構成であっても良い。かかる構成によれば
、利用頻度が多いアイコン８１を選択しやすくなるため、利便性を向上させることができ
る。
【００６１】
また、本実施形態において、ユーザー操作によってアイコン８１を視界確保領域８４に
移動させようとしたとき、表示制御部７４は、その操作をキャンセル（拒否）して、当該
アイコン８１を退避領域８５上に配置させることが好ましい。
【００６２】
さらに、本実施形態においては、視界確保領域８４に対し内向きの遠近画像に変換させ
た複数のアイコン８１を表示させる構成であったが、視界確保領域８４に対し外向き（視
界確保領域８４側の逆側向き）の遠近画像に変換させた複数のアイコン８１を表示させる
構成であっても良い。また、遠近画像への変換は、表示制御部７４が表示データ生成時に
行う構成であっても良いし、予め遠近画像に変換されたアイコン８１を用いる構成であっ
ても良い。
【００６３】
またさらに、本実施形態においては、表示制御部７４は、表示画面２６の背景を全透過
して表示させる構成であったが、表示画面２６の背景を半透過して表示させる構成であっ
ても良い。
【００６４】
また、本実施形態において、モードを、視界優先モード（第１モード）と通常モード（
第２モード）との間で設定可能とし、図５に示すように、視界優先モードの場合には、上
記した表示画面２６を表示させる構成であっても良い（図５では、遠近ガイド８２および
ターゲット８３を図示省略）。かかる場合、ＣＰＵ６７は、モードを、視界優先モードと
通常モードとの間で設定するモード設定部としても機能する。そして、表示制御部７４は
、視界優先モードに設定されている場合には、上記の表示画面２６を表示させる。すなわ
ち、複数のアイコン８１を退避領域８５のみに表示させると共に、パースをつけた複数の
アイコン８１を表示させる（図５（ａ）参照）。一方、通常モードに設定されている場合
には、視界確保を考慮しない表示画面２６を表示させる。すなわち、視界確保領域８４を
避けずに複数のアイコン８１を表示させると共に、パースをつけない複数のアイコン８１
（正対したアイコン８１）を表示させる（図５（ｃ）参照）。よって、通常モードに設定
されている場合には、複数のアイコン８１の少なくとも一部を、視界確保領域８４に表示
させる構成となる。かかる構成によれば、視界２１を優先した視界優先モードと、操作性
を優先した通常モード（操作優先モード）とを適宜切り替えることができるため、表示装
置の利便性を向上させることができる。
なお、図５に示すように、視界優先モードと通常モードとの間で設定変更を行うとき、
複数のアイコン８１を門扉とする門が開閉するかのように、徐々に各表示画面２６に遷移
させることが好ましい。また、モード設定部による当該モード設定は、ユーザー操作に従
って行う構成であっても良いし、特定条件により自動的に行う構成であっても良い。例え
ば、使用者の移動を検知した場合に、通常モードから視界優先モードに自動的に設定変更
する構成とする。
【００６５】
さらに、本実施形態においては、退避領域８５を、視界確保領域８４を左右に避けた領
域（左右退避領域）としたが、退避領域８５を、視界確保領域８４を上下に避けた領域（
上下退避領域）としても良い。ひいては、退避領域８５を、虚像表示領域２７のうちの、
視界確保領域８４を除く全領域としても良い。
【００６６】
またさらに、本実施形態においては、表示画面２６中央（使用者の視界２１の中央）の
領域を視界確保領域８４としたが、これに限るものではない。例えば、足元の視界を確保
すべく、表示画面２６の下半部を視界確保領域８４としても良いし、表示画面２６の左右
半部や上半部を視界確保領域８４としても良い。ひいては、視界確保領域８４は、矩形の
領域に限定されるものではなく、円形、楕円形の領域としても良い。
【００６７】
また、本実施形態においては、複数のアイコン８１を表示画面２６上に表示させる構成
であったが、各アプリケーションを呼び出すための画像オブジェクトであれば、これに限
るものではない。例えば、当該画像オブジェクトとして、各アプリケーションを示すメニ
ューや、縮小化したアプリケーション画面を表示画面２６上に表示させる構成であっても
良い。
【００６８】
さらに、各アプリケーションを呼び出すための複数の画像オブジェクトに代えて、各フ
ァイルや各フォルダを呼び出すための複数の画像オブジェクト（例えばアイコン８１やシ
ョートカット等）を表示画面２６上に表示させる構成であっても良いし、各アプリケーシ
ョンを呼び出すための複数の画像オブジェクトに代えて、各ユーザー操作を行うための画
像オブジェクト（例えばラジオボタン、選択ボタンやソフトキーボード等）を表示画面２
６上に表示させる構成であっても良い。かかる場合にも、当該各画像オブジェクトを退避
領域８５に表示させる（通常モードに設定されている場合を除く）。
【００６９】
またさらに、本実施形態において、使用者の視界内における所定の実物体（例えば障害
物）の位置を検出し、これに基づいて複数の画像オブジェクトの配置を変更する構成であ
っても良い。具体的には、頭部装着型表示装置１は、使用者の視界内における所定の実物
体の位置を検出する物体検出部を、さらに備え、表示制御部７４は、物体検出部の検出結
果に基づき、所定の実物体が視界確保領域８４内に位置している場合には、退避領域８５
に、複数のアイコン８１を表示させ、所定の実物体が退避領域８５に位置している場合に
は、視界確保領域８４に、複数の画像オブジェクトを表示させる構成である。かかる構成
によれば、現実空間に存在する所定の実物体の位置の視界を確保することができるので、
使用者が実物体を注視することができる。
【００７０】
また、本実施形態においては、複数の画像オブジェクトを退避領域８５に表示させる構
成であったが、これに代えて、視界確保領域８４上の画像オブジェクトを透過させる構成
であっても良い。すなわち、表示制御部７４は、複数の画像オブジェクトを、視界確保領
域８４と退避領域８５とに亘って表示させると共に、視界確保領域８４上の画像オブジェ
クトを、退避領域８５上の画像オブジェクトより高い透過率で透過して表示させる。かか
る構成により、外景が見える領域を確保して、外景の視認性を向上させる構成であっても
良い。
【００７１】
さらに、本実施形態において、頭部装着型表示装置１が図外のコントローラーを有し、
当該コントローラーに、表示制御部７４、表示状態制御部７５、音声処理部７６およびア
プリケーション実行部７７の一部または全部を搭載する構成であっても良い。かかる場合
、当該コントローラーは、コード等により、制御部３４もしくは表示部３０等（表示部３
０、右イヤホン１８および左イヤホン１９）に有線接続されている構成であっても良いし
、無線ＬＡＮや赤外線通信、Ｂｌｕｅｔｏｏｔｈ（登録商標）等により、制御部３４もし
くは表示部３０等に無線接続されている構成であっても良い。また、当該コントローラー
の機能を、パーソナルコンピュータ（ＰＣ）、携帯情報端末（ＰＤＡ、携帯電話、時計型
携帯端末、スマートフォン）等により実現しても良い。
【００７２】
またさらに、本実施形態においては、表示装置として両眼タイプの頭部装着型表示装置
１（光学透過型頭部装着型表示装置）を例示しているが、本発明は、例えば、単眼タイプ
等の他の形式の頭部装着型表示装置にも適用可能である。また、上記実施形態では、眼の
前方を覆う眼鏡タイプの頭部装着型表示装置１を例示しているが、これに限るものではな
く、眼の前方を完全に覆わないタイプ（眼の前方の一部を覆うタイプ）の頭部装着型表示
装置にも適用可能である。さらに、本発明は、頭部装着型表示装置に限らず、ヘッドアッ
プディスプレイ等の他の表示装置にも適用可能である。
【００７３】
また、本実施形態においては、画像光出力部が、バックライト制御部（右バックライト
制御部５１および左バックライト制御部６１）と、バックライト（右バックライト５２お
よび左バックライト６２）と、ＬＣＤ制御部（右ＬＣＤ制御部５３および左ＬＣＤ制御部
６３）と、ＬＣＤ（右ＬＣＤ５４および左ＬＣＤ６４）とを備える構成であったが、この
様態はあくまでも一例である。画像光出力部が、これらの構成部と共に、またはこれらの
構成部に代えて、他の方式を実現するための構成部を備えても良い。
【００７４】
例えば、画像光出力部が、有機ＥＬ（有機エレクトロルミネッセンス，Organic  Elect
ro-Luminescence）のディスプレイと、有機ＥＬ制御部とを備える構成としても良い。ま
た、例えば、画像光出力部が、ＬＣＤに代えて、ＬＣＯＳ（Liquid  crystal  on  silic
on，ＬＣｏＳは登録商標）や、デジタル・マイクロミラー・デバイス等を備える構成であ
っても良い。
【００７５】
さらに、本実施形態においては、いわゆる虚像投写型の頭部装着型表示装置１（ヘッド
マウントディスプレイ）に、本発明を適用したが、例えば、レーザー網膜投影型（いわゆ
る網膜走査型）の頭部装着型表示装置に対して本発明を適用することも可能である。
【００７６】
またさらに、本実施形態においては、画像光出力部が、投写光学系（右投写光学系５５
および左投写光学系６５）を備え、ＬＣＤから射出された画像光を投写する構成であった
が、画像光出力部が、投写光学系に代えて、例えばＭＥＭＳミラーで構成された走査光学
系を備えると共に、走査光学系に信号光を射出する信号光変調部（信号光形成部）を備え
る構成としても良い。この場合、信号光変調部で形成し射出された信号光をスキャン部で
ある走査光学系（ＭＥＭＳミラー）に入射する。走査光学系は信号光を走査光としてハー
フミラー層を有する導光体に向けて射出し、ハーフミラー層の面上において走査光が走査
されることにより、画像光による虚像が形成される。この虚像を使用者が眼で捉えること
で画像を認識させることができる。
【００７７】
また、本実施形態においては、頭部装着型表示装置１に本発明を適用する構成であった
が、頭部装着型表示装置１と、外部機器ＯＡもしくは外部サーバーとをネットワークを介
して接続した表示システｓムに、本発明を適用しても良い。かかる場合、表示制御部７４
、表示状態制御部７５、音声処理部７６およびアプリケーション実行部７７の一部または
全部を、外部機器ＯＡもしくは外部サーバー側に搭載する構成とする。
【符号の説明】
【００７８】
１：頭部装着型表示装置、  ２２：虚像、  ２６：表示画面、  ３０：表示部、  ７４
：表示制御部、  ８１：アイコン、  ８４：視界確保領域、  ８５：退避領域
【図１】
2015032085.tif 000003
【図２】
2015032085.tif 000004
【図３】
2015032085.tif 000005
【図４】
2015032085.tif 000006
【図５】
2015032085.tif 000007